(57)【要約】【課題】サブキーとメインキーとを用途に応じて使い分けることができるシリンダ錠を提供し、誤った使い方や不正行為が防止されるようにする。【解決手段】錠本体１とサブキー１６とメインキー１７とからなり、錠本体１は前側内筒３および奥側内筒４がそれぞれ回転可能なるように収納され、前側内筒および奥側内筒を回転不能にロックするコードピン５ａ〜５ｆ、８ａ，８ｂがそれぞれ備えられ、前側内筒には奥側内筒中を貫通し後方に突出する作動軸３ａが設けられ、前側内筒と奥側内筒とは互いに係合されているとともに該前側内筒と奥側内筒との係合部に前側内筒の単独での所定角度の回転を許容する空隙４ａが設けられ、サブキーにより前側内筒が単独で所定角度だけ限定的に回転され、メインキーにより前側内筒と奥側内筒とが同時に回転されるようにした。【選択図】図６
2014214484.tif 000002
【特許請求の範囲】
【請求項１】
錠本体とサブキーとメインキーとからなり、錠本体は前側内筒および奥側内筒がそれぞれ回転可能なるようにシリンダーケース内に直列に収納され、該前側内筒および奥側内筒に係合し該前側内筒および奥側内筒を回転不能にロックするコードピンがそれぞれ備えられ、該前側内筒には奥側内筒中を貫通しシリンダーケースの後方に突出する作動軸が一体的に設けられ、前側内筒と奥側内筒とは互いに係合されているとともに該前側内筒と奥側内筒との係合部に前側内筒の単独での所定角度の回転を許容する空隙が設けられ、サブキーは前側内筒に係合しているコードピンを移動させることにより該前側内筒を単独で所定角度だけ限定的に回転させ、メインキーは前側内筒に係合しているコードピンおよび前記奥側内筒に係合しているコードピンを移動させることにより前側内筒と奥側内筒とを同時に回転させるようにしたことを特徴とするシリンダ錠。
【請求項２】
鍵孔に挿し込まれたサブキーにより作動軸の所定角度の回転が許容されることで遊技機の透明板保持枠が解錠され、鍵孔に挿し込まれたメインキーにより作動軸がさらに回転が許容されて遊技盤の係合が解除されるようにしたことを特徴とする請求項１に記載したシリンダ錠。
【請求項３】
鍵孔に挿し込まれたサブキーにより作動軸の所定角度の回転が許容されることで遊技機の透明板保持枠が解錠され、鍵孔に挿し込まれたメインキーにより作動軸がさらに回転が許容されて本体枠の係合が解除されるようにしたことを特徴とする請求項１に記載したシリンダ錠。
【発明の詳細な説明】
【技術分野】
【０００１】
本発明は、主としてパチンコ、アレンジボール、雀球、メダル又はパチンコ球を遊技媒体として用いる回胴式遊技機等の遊技機に設けられるシリンダ錠に関し、さらに詳しくは、例えば、遊技機の前面に開閉可能に設けられた透明板保持枠を施錠するのに使用するシリンダ錠の構造に関するものである。
【背景技術】
【０００２】
一般に遊技場に設置されるパチンコ遊技機は、本体枠（遊技盤保持枠または遊技機本体とも称される）が方形枠状の機枠の一側縁に開閉自在に軸支され、該本体枠に遊技球が転動可能な遊技領域を有する遊技盤が固設され、該本体枠の一側縁に透明板保持枠（ガラス枠、前面扉とも称される）が開閉自在に軸支され、該本体枠の他側縁（自由側縁）で鍵孔が前面に露呈するように設けられたシリンダ錠に特定のキーを挿入し、該キーを一方向に回転操作することにより透明板保持枠が解錠されて該透明板保持枠が前方に開放可能となり、該キーを反対方向に回転操作すれば本体枠（前面枠または遊技機本体とも称される）が解錠されて該本体枠が前方に開放可能となるように構成されている。
また、鍵孔に挿し込んだキーを一方向に一定角度（例えば５０度）回転すると透明板保持枠が解錠され、さらに同方向に回転（例えばさらに４０度回転）すると遊技盤や遊技盤保持枠が解錠され遊技盤が交換し易いように前方に押し出されるようにしたパチンコ遊技機の施錠装置も知られている。
【０００３】
下記特許文献１には上記のようなパチンコ遊技機に設けられる施錠装置が示され、引用文献１の図１４に示されたように、シリンダ錠に挿し込んだキーを右に回すと、カムと作動杆とが係合して該作動杆が上方へ摺動し、該作動杆の上下の係合部がそれぞれ鉤部材を傾動させることによって機枠と本体枠との係合が外される。一方、引用文献１の図１５に示されたように、キーを左に回すと、カムと作動杆との係合により該作動杆が下方へ摺動し、本体枠と透明板保持枠との係合が外されるものである。
【０００４】
このように、従来からパチンコ遊技機の施錠装置は、シリンダ錠に挿し込んだキーの回転方向や回転角度により、透明板保持枠だけを解錠したり、本体枠を解錠したり、或いは遊技盤保持枠を解錠したりできるようにしている。
【先行技術文献】
【特許文献】
【０００５】
【特許文献１】特開２００６−８１８９４号公報
【発明の概要】
【発明が解決しようとする課題】
【０００６】
ところで、遊技中に遊技盤面で遊技球が詰まることは、しばしば起きることであり、そうすると遊技場の店員が透明板保持枠を開けてその状態を解消させる必要があるが、上記のように１つのキーで本体枠でも透明板保持枠でも解錠できるように構成されていると、不慣れな店員がキーを間違った方向に回転してしまうおそれがあり、例えば、透明板保持枠を開放しようとして間違って本体枠（遊技盤保持枠）を解錠してしまったりするので、迅速に対処できないといった問題がある。特に大当たり中の遊技機に対して間違った開放操作をして店員がやり直しのために時間を費やしていると、遊技者の利益を損ねることもあるので、その店員の対応如何によっては遊技者とトラブルを起こすおそれがあった。
また、１つのキーで透明板保持枠だけでなく本体枠（遊技盤保持枠）をも解錠できると、本体枠に設けられた制御基板などの重要部品までもが常時触り得る状況となることから、一部の悪意を持った店員により、不正行為が行われるおそれもあった。
【課題を解決するための手段】
【０００７】
本発明は上記のような課題を解決し得るシリンダ錠を提供するもので、錠本体とサブキーとメインキーとからなり、錠本体は前側内筒および奥側内筒がそれぞれ回転可能なるようにシリンダーケース内に直列に収納され、該前側内筒および奥側内筒に係合し該前側内筒および奥側内筒を回転不能にロックするコードピンがそれぞれ備えられ、該前側内筒には奥側内筒中を貫通しシリンダーケースの後方に突出する作動軸が一体的に設けられ、前側内筒と奥側内筒とは互いに係合されているとともに該前側内筒と奥側内筒との係合部に前側内筒の単独での所定角度の回転を許容する空隙が設けられ、サブキーは前側内筒に係合しているコードピンを移動させることにより該前側内筒を単独で所定角度だけ限定的に回転させ、メインキーは前側内筒に係合しているコードピンおよび前記奥側内筒に係合しているコードピンを移動させることにより前側内筒と奥側内筒とを同時に回転させるようにしたことを特徴とする。
また本発明は上記シリンダ錠において、鍵孔に挿し込まれたサブキーにより作動軸の所定角度の回転が許容されることで遊技機の透明板保持枠が解錠され、鍵孔に挿し込まれたメインキーにより作動軸がさらに回転が許容されて遊技盤の係合が解除されるようにしたことを特徴とする。
また本発明は上記シリンダ錠において、鍵孔に挿し込まれたサブキーにより作動軸の所定角度の回転が許容されることで遊技機の透明板保持枠が解錠され、鍵孔に挿し込まれたメインキーにより作動軸がさらに回転が許容されて本体枠の係合が解除されるようにしたことを特徴とする。
【発明の効果】
【０００８】
本発明に係るシリンダ錠によれば、サブキーとメインキーとを用途に応じて使い分けることができるので、誤った使い方が防止され利便性が増すとともに、不正行為が防止されセキュリティーが向上する。
【図面の簡単な説明】
【０００９】
【図１】本発明に係るシリンダ錠の錠本体の縦断面図。
【図２】本発明に係るシリンダ錠の錠本体の正面図。
【図３】図１のＡ−Ａ線断面図。
【図４】図１のＢ−Ｂ線断面図。
【図５】図１のＣ−Ｃ線断面図。
【図６】本発明に係るシリンダ錠の錠本体にサブキーを挿し込んだときの縦断面図。
【図７】本発明に係るシリンダ錠の錠本体にサブキーを挿し込んで回転したときの図６のＢ−Ｂ線断面図。
【図８】本発明に係るシリンダ錠の錠本体にメインキーを挿し込んだときの縦断面図。
【図９】本発明に係るシリンダ錠の錠本体にメインキーを挿し込んで回転したときの図８のＢ−Ｂ線断面図。
【図１０】本発明に係るシリンダ錠の錠本体にメインキーを挿し込んで回転したときの図８のＣ−Ｃ線断面図。
【図１１】本発明に係る遊技機の本体枠を開いた状態の斜視図。
【図１２】本発明に係る遊技機の透明板保持枠および遊技盤を開いた状態の斜視図。
【図１３】本発明に係る遊技機の透明板保持枠のみを開いた状態の斜視図。
【図１４】本発明に係る遊技機の透明板保持枠と遊技盤とを取り外したときの斜視図。
【図１５】本発明に係る遊技機の施錠装置の分解斜視図。
【図１６】本発明に係る遊技機の施錠装置と遊技盤の係合片とを示す斜視図。
【図１７】図９の下半部の拡大図。
【図１８】本発明に係る遊技機の施錠装置と透明板保持枠の係脱機構とを示す斜視図。
【図１９】図１８の下半部の拡大図。
【図２０】本発明に係る遊技機の施錠装置が係合解除作動したときの下半部の拡大左側面図。
【図２１】図２０の施錠装置の裏面図。
【図２２】本発明に係る遊技機の施錠装置が係合解除作動したときの下半部の拡大左側面図。
【図２３】図２２の施錠装置の裏面図。
【図２４】本発明に係る遊技機の施錠装置の遊技盤押出機構が作動したときの下半部の拡大左側面図。
【図２５】図２４の施錠装置の裏面図。
【図２６】本発明に係る遊技機の施錠装置が本体枠と機枠との係合解除作動をしたときの下半部の拡大左側面図。
【図２７】図２６の施錠装置の裏面図。
【発明を実施するための形態】
【００１０】
次に本発明の実施形態を図面に従い説明する。図１はシリンダ錠の錠本体の縦断面図で、錠本体１は、シリンダーケース２の内部前側に鍵孔１ａを有する前側内筒３が回転可能なるように収納され、該シリンダーケース２の内部であって該前側内筒３の奥側には奥側内筒４が回転可能なるように収納され、該前側内筒３と奥側内筒４とはその回転中心が一致するよう該シリンダーケース２の内に直列に配設される。５ａ〜５ｆはシリンダーケース２の内壁に設けられていて前側内筒３に係合しているコードピンで、該各コードピン５ａ〜５ｆは、前側内筒３の筒壁を貫通するように設けられたそれぞれ長さが異なるキーピン６ａ〜６ｆをコイルバネ７の弾性により内方に付勢している。このため、図３にも示したように、キーを差し込まない状態では該各コードピン５ａ〜５ｆはシェアライン１１（シリンダーケース２の内周面と前側内筒３の外周面の境）を交差するように位置し、該前側内筒３は回転不能にロックされる。また、８ａ，８ｂは奥側内筒４に係合するコードピンで、該各コードピンもそれぞれ長さが異なるキーピン９ａ，９ｂがコイルバネ１０の弾性により内方に付勢され、図５に示したように、キーを差し込まない状態で該各コードピン８ａ，８ｂがシェアライン１２（シリンダーケース２の内周面と奥側内筒４の外周面の境）を交差するように位置することから該奥側内筒４が回転不能にロックされる。
【００１１】
前側内筒３の後端部には奥側内筒４の中心を貫通しシリンダーケース２の後方に突出する作動軸３ａが一体的に設けられ、該作動軸３ａの先端に一対のフックが二股状に形成されたカム片１５が固設される。なお、作動軸３ａの前記キーピン９ａ，９ｂと相対する面に溝３ｂが形成され該溝に沿って後述するメインキーが案内されるようにしている。また、前側内筒３の後端面の外周縁寄りに係合片３ｃが後方に向けて突設され、該係合片３ｃは奥側内筒４の前端面に形成された形成された空隙４ａ中に突出して位置する。該空隙４ａは図４に示したように奥側内筒４の前端面を約５０度だけ切欠くことにより形成され、該空隙４ａ中に係合片３ｃが位置していることから、前側内筒３は破断線で示したように所定角度αだけ単独での回転が許容されるようにしている。一方、前側内筒３だけの所定角度αを越える回転は、係合片３ｃが空隙４ａの内壁に当たることで阻止されるようにしている。このように前側内筒３と奥側内筒４とは互いに係合されているとともに、該係合部に前側内筒３の単独での所定角度αの回転を許容する空隙４ａを形成している。
【００１２】
図６は、サブキー１６を鍵孔１ａに挿し込んだ状態を示し、該サブキー１６は前側内筒３にのみ到達し奥側内筒４には達しないように短寸に形成され、該サブキー１６の外側縁に形成された特定形状によりキーピン６ａ〜６ｆが押し上げられ、各コードピン５ａ〜５ｆのキーピン側端部がシェアライン１１に移動することから前側内筒３が単独で所定角度αだけ限定的に回転し得るようになる。このためサブキー１６によっては、図７に示したように作動軸３ａを所定角度αだけ限定的に左右に回転し得るようになる。
【００１３】
一方、図８は、長寸部１７ａが奥側内筒４まで到達し得るように長く形成されたメインキー１７を挿し込んだ状態を示し、該メインキー１７はサブキー１６と同様に各コードピン５ａ〜５ｆのキーピン側端部をシェアライン１１に移動させると同時に、長寸部１７ａがキーピン９ａ，９ｂを押し上げ、コードピン８ａ，８ｂのキーピン側端部をシェアライン１２に移動させる。このためメインキー１７によっては、前側内筒３と奥側内筒４とを同時に回転可能とし、図９、図１０に示したように作動軸３ａを所定角度αを超えて回転可能とする。なお、メインキー１７を挿し込んだ状態では作動軸３ａを右方向にも回転し得るようになる。
【００１４】
次に本発明に係るシリンダ錠を設けたパチンコ遊技機の一例を図１１以降に従い説明する。図１１において、２０は外枠とも称される縦長方形状の機枠、２１ａ，２１ｂは該機枠２０の一方の側縁の内面に上下間隔を離して固設された一対の係合部材である。２２は前面下部に球受皿２３、操作盤２４、発射ハンドル２５等が設けられている他、裏側に景品球払出装置、景品球タンク、遊技制御回路基板ボックス等が設けられた本体枠（遊技盤保持枠または遊技機本体とも称される）で、該本体枠２２は機枠２０の他方の側縁２６に設けられた軸支機構により矢印で示したように前方に開閉可能に軸支される。また、本体枠２２に軸支機構２７が設けられ、図１２に示したように、該軸支機構２７により透明板保持枠２８と遊技盤２９が前方に開閉自在なるように軸支され、該透明板保持枠２８と遊技盤２９とは、図１４に示したように、該透明板保持枠２８の内面側に遊技盤２９を軸支機構３０により開閉自在に軸支していることから、図１３に示したように透明板保持枠２８を前方に開くことができるようにしている。２９ａ，２９ｂは遊技盤２の自由端縁に固設された水平断面鉤状の係合部である。なお、本体枠２２の前面は遊技盤２９が合致し得るように額縁状凹窪３２が形成されている。３１は本体枠２２の自由側縁寄りに前記錠本体１が収容され鍵孔１ａが前面に露呈するように開設された錠孔部である。
【００１５】
透明板保持枠２８には二重の板ガラスからなる透明板３５が係合爪３６を操作することにより着脱可能に支持されている。なお、透明板保持枠２８の自由側縁に固設された基板３７の上下位置に係合部３７ａ，３７ｂが起立状に形成されている。なお、遊技盤２９には、前面に多数の障害釘を固植することにより球誘導レール３８に包囲された遊技球が自由に転動可能な遊技領域３９が形成され、該遊技領域に液晶図柄表示装置、入賞装置等を設けている。
【００１６】
次に本体枠２２に固設される施錠装置４０の構成を図１５の分解斜視図に従い説明する。施錠装置４０は、上下方向に長い水平断面略コ字状の基板４１が本体枠２２の自由側縁に固設され、上下方向に長い板状の作動杆４２の４箇所に長孔４３ａ〜４３ｄが開設され、該各長孔にリベット４４ａ〜４４ｄを遊嵌して該各リベットを基板４１に固植することにより、作動杆４２が上下に摺動自在なるように設けられる。該基板４１の下端部寄りに起立形成された取付部４５に錠本体１がビス止され、該錠本体１の後端部から突出している作動軸３ａの先端に前記カム片１５が固設され、該カム片１５に対し作動杆４２の下端部寄りに形成された起立片４６が係合し得るように組み立てられる。
【００１７】
図１６以降にも示した、４８ａ，４８ｂは前記係合部材２１ａ，２１ｂに係脱する上向き鉤状の係合片で、該係合片４８ａ，４８ｂは基板４１に形成された細長孔４９ａ，４９ｂに貫挿させて先端を裏方向に突出させるとともに、前記リベット４４ｂ、４４ｄを該係合片４８ａ，４８ｂの基部に形成された小長孔５０ａ，５０ｂに遊嵌することにより該小長孔５０ａ，５０ｂの形成範囲内にて上下に摺動可能に支持され、コイル状のスプリング５１ａ，５１ｂを該係合片４８ａ，４８ｂに張設することにより該係合片４８ａ，４８ｂを上向きに付勢している。そして、前記作動杆４２に形成された張出部５２ａ，５２ｂが該係合片４８ａ，４８ｂの基部に形成された起立部５３ａ，５３ｂと対峙し、前記作動杆４２が下方に摺動したとき該張出部５２ａ，５２ｂが起立部５３ａ，５３ｂに当たり該係合片４８ａ，４８ｂが下降する。
【００１８】
５５ａ，５５ｂは、前記係合部３７ａ，３７ｂに係脱する下向き鉤状の係合片で、該係合片５５ａ，５５ｂは基板４１に形成された切欠５６ａ，５６ｂから前方向に突出させるとともに、前記リベット４４ａ、４４ｃを該係合片５５ａ，５５ｂの基部に形成された小長孔５７ａ，５７ｂに遊嵌することにより該小長孔５７ａ，５７ｂの形成範囲内にて上下に摺動可能に支持され、コイル状のスプリング５１ａ，５８ｂを該係合片５５ａ，５５ｂに張設することにより該係合片５５ａ，５５ｂを下向きに付勢している。そして、前記作動杆４２に形成された張出部５９ａ，５９ｂが該係合片５５ａ，５５ｂの基部に形成された起立部６０ａ，６０ｂと対峙し、前記作動杆４２が上方に摺動したとき該張出部が該起立部６０ａ，６０ｂに当たり該係合片５５ａ，５５ｂを上昇させる。
【００１９】
また、６５ａ，６５ｂは、前記係合部２９ａ，２９ｂに係脱させるために設けられた上向き鉤状の係合片で、該係合片６５ａ，６５ｂは基板４１に形成された切欠６６ａ，６６ｂから前方向に突出するようにリベット６７ａ，６７ｂを透孔６８ａ，６８ｂに貫挿することにより回転自在に設けられ、コイル状のスプリング６９ａ，６９ｂを張設することにより該係合片６５ａ，６５ｂを上向きに付勢している。そして、前記作動杆４２に形成された張出部７０ａ，７０ｂが該係合片６５ａ，６５ｂの基部に形成された起立部７１ａ，７１ｂと対峙し、前記作動杆４２が上方に摺動したとき該張出部が起立部７１ａ，７１ｂに当たり該係合片６５ａ，６５ｂを下向きに回転させる。
【００２０】
７５ａ，７５ｂは基板４１の後方拡張部７６ａ，７６ｂに設けた遊技盤押出機構で、該各遊技盤押出機構は、押出金具に押圧部７７ａ，７７ｂが遊技盤２９の裏面と相対するように折り曲げ形成され、該押出金具の基部７８ａ，７８ｂに透孔７９ａ，７９ｂおよび該透孔を曲率中心とする円弧状孔８０ａ，８０ｂが形成され、該透孔７９ａ，７９ｂにリベット８１ａ，８１ｂを貫挿し、円弧状孔８０ａ，８０ｂにリベット８２ａ，８２ｂを貫挿することにより、後方拡張部７６ａ，７６ｂに該押出金具が該円弧状孔８０ａ，８０ｂの形成範囲内にて回転自在に支持され、コイル状のスプリング８３ａ，８３ｂを該押圧金具に張設することにより常態では該押圧部７７ａ，７７ｂが後退するように付勢している。そして、前記作動杆４２に形成された張出部８４ａ，８４ｂが基部７８ａ，７８ｂに形成された突部８８ａ，８８ｂと対峙する。このため作動杆４２が上方に摺動したとき該張出部が該突部８８ａ，８８ｂに当たり該押圧金具をスプリング８３ａ，８３ｂの張力に抗して回転させ押圧部７７ａ，７７ｂを前方に突出させる。なお、該押圧部７７ａ，７７ｂは遊技盤２９の裏面の上下部に相対する。
【００２１】
図１６〜図１９は該施錠装置４０の組立状態の斜視図であるが、図１６、図１７はこの斜視図に遊技盤２９に固設された前記係合部２９ａ，２９ｂを併記したことで、該係合部２９ａ，２９ｂと前記係合片６５ａ，６５ｂとの係合位置関係が表示される。また、図１８、図１９はさらにこれに前記基板３７を併記した図面であり、これによって前記係合部３７ａ，３７ｂと前記係合片５５ａ，５５ｂとの係合位置関係が表示される。
【００２２】
このように構成したパチンコ遊技機では、図１２に示したように、前記機枠２０内に本体枠２２を収容した状態では、前記係合片４８ａ，４８ｂが前記係合部材２１ａ，２１ｂに係合し、スプリング５１ａ，５１ｂの弾性によりその係合状態が保持される。
また、図１３に示したように、該遊技盤２９に設けられた係合部２９ａ，２９ｂに係合片６５ａ，６５ｂを係合させることで、該遊技盤２９が本体枠２２の額縁状部凹窪３２に収容され、スプリング６９ａ，６９ｂの弾性により該係合部２９ａ，２９ｂと係合片６５ａ，６５ｂとの係合状態が保持される。またこの係合状態では該遊技盤２９の裏面に前記遊技盤押出機構７５ａ，７５ｂの押圧部７７ａ，７７ｂが相対する。
【００２３】
また、透明板保持枠２８を閉じたとき、係合部３７ａ，３７ｂに係合片５５ａ，５５ｂが係合し、スプリング５１ａ，５８ｂの弾性によりその係合状態が保持される。
また、係合部２９ａ，２９ｂに対し下方から上向き鉤状の係合片６５ａ，６５ｂが係合するとともに、係合片５５ａ，５５ｂを係合部３７ａ，３７ｂに係合させているので、本体枠２２と遊技盤２９と透明板保持枠２８とが強固に連結され、頑強なロック状態が実現される。
【００２４】
このようにロック状態にあるパチンコ遊技機の錠本体１にサブキー１６を挿し込み、該サブキー１６を左方向に回転操作し、作動軸３ａを所定角度αだけ左方向に回転すれば、図２１に示したように、カム片１５を起立片４６に係合させて作動杆４２を上動させる。このため張出部５９ａ，５９ｂが起立部６０ａ，６０ｂを介して係合片５５ａ，５５ｂを押し上げ、該係合部３７ａ，３７ｂと該係合片５５ａ，５５ｂとの係合が解除される。このため、遊技中に遊技盤２９面に遊技球が詰まったときに店員がこの解錠操作によって図１３に示したように透明板保持枠２８を開くことができ、その球詰まりに対し対処することができる。
【００２５】
一方、錠本体１にメインキー１７を挿し込んで該メインキー１７を左方向に回転操作すると、作動軸３ａを所定角度αを超えて左方向に回転し得るので、図２２に示したように作動杆４２をさらに上動できるようになる。このため、張出部７０ａ，７０ｂが起立部７１ａ，７１ｂに当接し、係合片６５ａ，６５ｂを下動させることで係合部２９ａ，２９ｂとの係合、即ち、遊技盤２９との係合が解除される。そして該メインキー１７をさらに左方向に回転操作し、図２４に示したように作動杆４２をさらに上動させると、遊技盤押出機構が作動して遊技盤２９が前方に押し出される。即ち、作動杆４２がさらに上動するのに伴い張出部８４ａ，８４ｂが押圧金具７５ａ，７５ｂを回転させ押圧部７７ａ，７７ｂを前方に突出させ、遊技盤２９の裏面の上下部を前方に押圧し、該遊技盤２９を本体枠２２から離間させる。このためメインキー１７を使用することによっては図１２、図１４に示したように遊技盤２９と透明板保持枠２８が本体枠２２から離脱され、遊技盤２９の交換やメンテナンスが容易となる。
【００２６】
また、錠本体１にメインキー１７を挿し込んで該メインキー１７を右方向に回転操作すると、作動軸３ａを所定角度αを超えて右方向に回転し得るので、図２６、図２７に示したように作動杆４２が下動し、係合片４８ａ，４８ｂが下動し、係合部材２１ａ，２１ｂとの係合が解除され、本体枠２２を前方に回転させることで、図１１に示したように、機枠２０内に収容されていた本体枠２２を前方に開くことができるようになり、該本体枠２２に設けられた制御基板、景品球払出装置、景品球タンク等の重要部品の点検、整備が可能となる。
【００２７】
このように本発明に係るシリンダ錠を設けたパチンコ遊技機では、サブキー１６とメインキー１７とを例えば遊技場における一般店員用と店長用とに用途に応じて使い分けることで、通常の営業中は店員がサブキー１６を携帯して遊技客のサービスにあたるようにすれば、誤った使い方が防止され遊技盤面で起きる球詰まり等に迅速に対処することができるとともに、該サブキー１６によっては遊技盤２９を離脱させたり本体枠２２を前方に開くようなことはできないので、店員による不正行為を防止することもできる。
【００２８】
なお、この実施形態ではメインキー１７を使用することにより、遊技盤２９および本体枠２２が解除されるようにしたが、遊技盤２９または本体枠２２のいずれか一方が解除されるようにしてもよい。
【符号の説明】
【００２９】
１              錠本体
１ａ            鍵孔
２              シリンダーケース
３              前側内筒
３ａ            作動軸
３ｂ            溝
３ｃ            係合片
４              奥側内筒
４ａ            空隙
５ａ〜５ｆ      コードピン
６ａ〜６ｆ      キーピン
７              コイルバネ
８ａ，８ｂ      コードピン
９ａ，９ｂ      キーピン
１０            コイルバネ
１１、１２      シェアライン
１５            カム片
１６            サブキー
１７            メインキー
１７ａ          長寸部
２０            機枠
２２            本体枠
２８            透明板保持枠
２９            遊技盤
４０            施錠装置
４２            作動杆
【図１】
2014214484.tif 000003
【図２】
2014214484.tif 000004
【図３】
2014214484.tif 000005
【図４】
2014214484.tif 000006
【図５】
2014214484.tif 000007
【図６】
2014214484.tif 000008
【図７】
2014214484.tif 000009
【図８】
2014214484.tif 000010
【図９】
2014214484.tif 000011
【図１０】
2014214484.tif 000012
【図１１】
2014214484.tif 000013
【図１２】
2014214484.tif 000014
【図１３】
2014214484.tif 000015
【図１４】
2014214484.tif 000016
【図１５】
2014214484.tif 000017
【図１６】
2014214484.tif 000018
【図１７】
2014214484.tif 000019
【図１８】
2014214484.tif 000020
【図１９】
2014214484.tif 000021
【図２０】
2014214484.tif 000022
【図２１】
2014214484.tif 000023
【図２２】
2014214484.tif 000024
【図２３】
2014214484.tif 000025
【図２４】
2014214484.tif 000026
【図２５】
2014214484.tif 000027
【図２６】
2014214484.tif 000028
【図２７】
2014214484.tif 000029